(57)【要約】【課題】内燃機関の温度の上昇に伴って高圧ポンプの温度が上昇しても、高圧ポンプ内の液化ガス燃料の温度の上昇を抑制し、高圧ポンプ内での液化ガス燃料が気化することを防止すると共に、液化ガス燃料の気化を防止するために増加する高圧ポンプの駆動損失を最小限に抑えることができる内燃機関とその燃料供給方法を提供する。【解決手段】エンジン１のＥＣＵ１４に、エンジン１の運転状態に基づいて、燃料環流システム１１が燃料タンク６に環流させるＤＭＥの環流用流量Ｑｔの目標値となる目標環流用流量Ｑｔ’を算出する目標環流用流量算出手段Ｍ１と、環流用流量Ｑｔが目標環流用流量Ｑｔ’になるように燃料環流システム１１を制御して、且つ高圧ポンプ７に供給されるＤＭＥの総流量Ｑｆが高圧ポンプ７内のＤＭＥの温度Ｔｄの上昇を抑制する昇温抑制流量Ｑｆ’になるように燃料供給システム８を制御する流量調節手段Ｍ２と、を備える。【選択図】図１
2014169636.tif 000002
【特許請求の範囲】
【請求項１】
内燃機関の気筒内に液化ガス燃料を噴射する燃焼用噴射弁と、該燃焼用噴射弁に高圧の液化ガス燃料を供給するコモンレールと、該コモンレールに燃料タンクに貯蔵された液化ガス燃料を供給する高圧ポンプと、を備える内燃機関において、
前記高圧ポンプに供給される液化ガス燃料の総流量を調節して供給する燃料供給システムと、前記高圧ポンプを通過した後の高圧の液化ガス燃料の一部を前記燃料タンクに環流する燃料環流システムと、を備えると共に、
前記総流量が前記高圧ポンプ内の液化ガス燃料の温度の上昇を抑制する昇温抑制流量になるように、内燃機関の運転状態に基づいて、前記燃料環流システムが前記燃料タンクに環流させる液化ガス燃料の環流用流量の目標値となる目標環流用流量を算出する目標環流用流量算出手段と、
前記環流用流量が前記目標環流用流量になるように前記燃料環流システムを制御する流量調節手段と、を有する制御装置を備えることを特徴とする内燃機関。
【請求項２】
前記燃料環流システムを、前記燃料タンクに前記高圧ポンプを通過した後の高圧の液化ガス燃料の一部を噴射して環流する環流用噴射弁と、該環流用噴射弁に前記高圧ポンプを通過した後の高圧の液化ガス燃料の一部を導く環流用流路とで構成することを特徴とする請求項１に記載の内燃機関。
【請求項３】
前記目標環流用流量算出手段が、
内燃機関のエンジン回転数と前記燃焼用噴射弁から噴射される燃焼用流量に基づいて、前記目標環流用流量を算出する手段であることを特徴とする請求項１又は２に記載の内燃機関。
【請求項４】
前記目標環流用流量算出手段が、
前記総流量の目標値となる前記昇温抑制流量を算出し、算出された前記昇温抑制流量と前記燃焼用噴射弁から噴射される燃焼用流量に基づいて、前記目標環流用流量を算出する手段であることを特徴とする請求項１又は２に記載の内燃機関。
【請求項５】
前記高圧ポンプ内の温度を取得する温度取得手段を備え、
前記目標環流用流量算出手段が、
前記温度取得手段より取得した前記高圧ポンプ内の温度と内燃機関のエンジン回転数に基づいて、前記昇温抑制流量を算出する手段であることを特徴とする請求項４に記載の内燃機関。
【請求項６】
前記流量調節手段が、
前記総流量が前記昇温抑制流量となるように前記燃料供給システムを制御し、前記総流量を常に前記燃焼用噴射弁から噴射される燃焼用流量よりも多くする手段であることを特徴とする請求項１〜５のいずれか１項に記載の内燃機関。
【請求項７】
内燃機関の気筒内に液化ガス燃料を噴射する燃焼用噴射弁と、該燃焼用噴射弁に高圧の液化ガス燃料を供給するコモンレールと、該コモンレールに燃料タンクに貯蔵された液化ガス燃料を供給する高圧ポンプと、該高圧ポンプに供給される液化ガス燃料の総流量を調節して供給する燃料供給システムと、前記高圧ポンプを通過した後の高圧の液化ガス燃料の一部を前記燃料タンクに環流する燃料環流システムと、を備える内燃機関の燃料供給方法において、
前記総流量が前記高圧ポンプ内の液化ガス燃料の温度の上昇を抑制する昇温抑制流量になるように、内燃機関の運転状態に基づいて、前記燃料環流システムが前記燃料タンクに環流させる液化ガス燃料の環流用流量の目標値となる目標環流用流量を算出し、
前記環流用流量が算出した前記目標環流用流量になるように前記燃料環流システムを制御することを特徴とする内燃機関の燃料供給方法。
【請求項８】
前記燃料環流システムに設けた環流用噴射弁が、前記高圧ポンプを通過した後の高圧の液化ガス燃料の一部を前記燃料タンク内に噴射して環流して、前記燃料タンク内を加圧することを特徴とする請求項７に記載の内燃機関の燃料供給方法。
【請求項９】
内燃機関のエンジン回転数と前記燃焼用噴射弁から噴射される燃焼用流量に基づいて、前記目標環流用流量を算出することを特徴とする請求項７又は８に記載の内燃機関の燃料供給方法。
【請求項１０】
前記総流量の目標値となる前記昇温抑制流量を算出し、
算出した前記昇温抑制流量と前記燃焼用噴射弁から噴射される燃焼用流量に基づいて、前記目標環流用流量を算出することを特徴とする請求項７又は８に記載の内燃機関の燃料供給方法。
【請求項１１】
前記高圧ポンプ内の温度を取得し、前記高圧ポンプ内の温度と内燃機関のエンジン回転数に基づいて、前記昇温抑制流量を算出することを特徴とする請求項１０に記載の内燃機関の燃料供給方法。
【発明の詳細な説明】
【技術分野】
【０００１】
本発明は、ジメチルエーテル（以下、ＤＭＥという）などの液化ガス燃料を燃料とする内燃機関と、その内燃機関に液化ガス燃料を供給する燃料供給方法に関する。
【背景技術】
【０００２】
現在、ディーゼルエンジン（内燃機関）に使用される軽油の代替燃料として、ＤＭＥ（ジメチルエーテル）などの液化ガス燃料を用いることが注目されている。そのＤＭＥをエンジンに用いる場合には、ＤＭＥをインジェクタ（燃料噴射弁）まで液体のまま供給する必要がある。
【０００３】
そこで、従来のエンジンでは、ＤＭＥを蒸気圧以上の圧力となるようにポンプで加圧して供給していた。ここで、その従来のエンジンについて、図９を参照しながら説明する。従来のエンジン１Ｘは、エンジン本体２のシリンダ（気筒）３にＤＭＥを噴射する燃焼用インジェクタ４と、その燃焼用インジェクタ４に高圧のＤＭＥを供給するコモンレール５と、そのコモンレール５に燃料タンク６に充填されたＤＭＥを供給する高圧ポンプ７と、を備える。また、燃料タンク６から高圧ポンプ７にＤＭＥを供給する燃料供給システム８を備える。この燃料供給システム８は、燃料供給バルブ９と供給用流路１０を備え、フィードポンプ（加圧用ポンプ）ＦＰによりＤＭＥを加圧して、液体のまま高圧ポンプ７に供給するように構成される。
【０００４】
この構成によれば、フィードポンプＦＰでＤＭＥを加圧して高圧ポンプ７に供給することができるので、ＤＭＥを液体のまま燃焼用インジェクタ４に供給することを可能にする。
【０００５】
しかし、気化しやすいＤＭＥを燃料として用いているので、エンジン１の温度が上昇に伴って高圧ポンプの温度が上昇すると、その高圧ポンプ内のＤＭＥの温度も上昇し、ＤＭＥが気化してしまう。そのような事態になると、高圧ポンプがＤＭＥをコモンレールに供給することができず、エンジンを正常に運転できない。
【０００６】
そこで、エンジンの要求燃料供給量に応じて燃料ポンプを制御する燃料ポンプ制御手段と、エンジンの燃料系部品が所定の高温状態になる運転状態を検出する高温状態検出手段と、高温状態検出手段の出力を受け、高温状態になる運転状態が検出された時には燃料ポンプ制御手段による燃料ポンプ制御の制御量を燃料供給量増量側に補正する高温時補正手段を備えた装置（例えば、特許文献１参照）がある。
【０００７】
また、高圧ポンプは、高圧ポンプ内の圧力が所定圧力以上になった場合に、高圧ポンプから燃料タンクに液化ガス燃料を流出させる調圧弁を有し、制御手段は、温度検出手段の検出温度が第１の閾値以上になった場合に供給量を増加補正する補正手段を有した装置（例えば、特許文献２参照）もある。
【０００８】
これらの装置は、高圧ポンプ内で液化ガス燃料の温度が上昇し、気化しそうになったときに、高圧ポンプ内に供給される液化ガス燃料の流量を増加することによって、液化ガス燃料の温度を低下させて、液化ガス燃料が気化することを防いでいる。
【０００９】
しかし、特許文献１及び特許文献２に記載の装置は、高圧ポンプ内で液化ガス燃料が気化しそうになった状態を検知してから、高圧ポンプに供給される液化ガス燃料の流量を調節するため、確実に液化ガス燃料の気化を防止することができなかった。また、液化ガス
燃料の気化を防止するために増加させた流量によって、高圧ポンプの駆動損失が増加していた。
【先行技術文献】
【特許文献】
【００１０】
【特許文献１】特開平７−２７０３０号公報
【特許文献２】特開２０１０−１９６５３４号公報
【発明の概要】
【発明が解決しようとする課題】
【００１１】
本発明は、上記の問題を鑑みてなされたものであり、その目的は、内燃機関の温度の上昇に伴って高圧ポンプの温度が上昇しても、高圧ポンプ内の液化ガス燃料の温度の上昇を抑制し、高圧ポンプ内での液化ガス燃料が気化することを防止すると共に、液化ガス燃料の気化を防止するために増加する高圧ポンプの駆動損失を最小限に抑えることができる内燃機関とその燃料供給方法を提供することである。
【課題を解決するための手段】
【００１２】
上記の目的を解決するための本発明の内燃機関は、内燃機関の気筒内に液化ガス燃料を噴射する燃焼用噴射弁と、該燃焼用噴射弁に高圧の液化ガス燃料を供給するコモンレールと、該コモンレールに燃料タンクに貯蔵された液化ガス燃料を供給する高圧ポンプと、を備える内燃機関において、前記高圧ポンプに供給される液化ガス燃料の総流量を調節して供給する燃料供給システムと、前記高圧ポンプを通過した後の高圧の液化ガス燃料の一部を前記燃料タンクに環流する燃料環流システムと、を備えると共に、前記総流量が前記高圧ポンプ内の液化ガス燃料の温度の上昇を抑制する昇温抑制流量になるように、内燃機関の運転状態に基づいて、前記燃料環流システムが前記燃料タンクに環流させる液化ガス燃料の環流用流量の目標値となる目標環流用流量を算出する目標環流用流量算出手段と、前記環流用流量が前記目標環流用流量になるように前記燃料環流システムを制御する流量調節手段と、を有する制御装置を備えて構成される。
【００１３】
この構成によれば、高圧ポンプに供給される液化ガス燃料の総流量が昇温抑制流量となるように調節されるので、内燃機関の温度の上昇に伴って高圧ポンプの温度が上昇しても、高圧ポンプ内の液化ガス燃料の温度の上昇を抑制することができる。これにより、高圧ポンプ内での液化ガス燃料が気化することを確実に防止することができる。
【００１４】
また、燃料タンクに環流される液化ガス燃料の環流用流量が、目標環流用流量算出手段により算出された最適な目標環流用流量となるように制御されるので、高圧ポンプ内で液化ガス燃料の気化を防止すると共に、環流用流量を高圧ポンプ内で液化ガス燃料の気化を防止する最小限の流量に調節することができ、高圧ポンプの駆動損失を最小限に抑えることができる。
【００１５】
なお、ここでいう目標環流用流量とは、予め内燃機関の運転状態に応じて定められた流量であり、高圧ポンプ内で液化ガス燃料の気化を防止するために必要最小限の目標値のことをいう。
【００１６】
また、燃料供給システムとは、燃料タンクから高圧ポンプに加圧された液化ガス燃料を供給するシステムであり、例えば、フィードポンプやコンプレッサなどで加圧した液化ガス燃料を高圧ポンプに供給するシステムや、フィードポンプやコンプレッサを用いないで、燃料タンク内で加圧された液化ガス燃料を供給するシステムのことをいう。
【００１７】
加えて、燃料環流システムとは、従来の燃焼用噴射弁で噴射されなかった余剰分を燃料
タンクに戻す流路とは別の流路であり、本発明の燃料環流システムは、高圧ポンプに供給された総流量を、高圧ポンプ内の液化ガス燃料の温度の上昇を抑制する昇温抑制流量に調節するために、算出された環流用流量を燃料タンクに環流させるシステムのことをいう。よって、上記の構成に燃焼用噴射弁やコモンレールなどで余剰となる分を戻す流路などを別途追加してもよい。
【００１８】
また、上記の内燃機関において、前記燃料環流システムを、前記燃料タンクに前記高圧ポンプを通過した後の高圧の液化ガス燃料の一部を噴射して環流する環流用噴射弁と、該環流用噴射弁に前記高圧ポンプを通過した後の高圧の液化ガス燃料の一部を導く環流用流路とで構成すると、コモンレールに蓄圧された環流用流量を、環流用噴射弁から噴射することで、燃料タンクに環流する液化ガス燃料の環流用流量を容易に制御可能にすると共に、コモンレール内の高圧化した液化ガス燃料を燃料タンクに環流することができる。
【００１９】
これにより、環流用流量の調節を細かに行うことで、より高圧ポンプの駆動損失の増加を抑制することができる。また、高圧の液化ガス燃料により、燃料タンク内を加圧することができる。よって、フィードポンプやエアコンプレッサなどを用いずに、燃料タンクから高圧ポンプに加圧された状態の液化ガス燃料を供給することができるので、液化ガス燃料を燃料とする内燃機関において、燃費を向上することができる。
【００２０】
加えて、上記の内燃機関において、前記目標環流用流量算出手段が、内燃機関のエンジン回転数と前記燃焼用噴射弁から噴射される燃焼用流量に基づいて、前記目標環流用流量を算出する手段として構成されると、高圧ポンプ内の温度に関係なく、液化ガス燃料が確実に気化しない総流量を高圧ポンプに流すことができる。これにより、高圧ポンプに単位時間あたりの平均的な総流量を供給することができ、液化ガス燃料の気化を抑制し、且つ高圧ポンプのポンプ損失も低減することができる。
【００２１】
一方、上記の内燃機関において、前記目標環流用流量算出手段が、前記総流量の目標値となる前記昇温抑制流量を算出し、算出された前記昇温抑制流量と前記燃焼用噴射弁から噴射される燃焼用流量に基づいて、前記目標環流用流量を算出する手段として構成してもよい。
【００２２】
さらに、その内燃機関において、前記高圧ポンプ内の温度を取得する温度取得手段を備え、前記目標環流用流量算出手段が、前記温度取得手段より取得した前記高圧ポンプ内の温度と内燃機関のエンジン回転数に基づいて、前記昇温抑制流量を算出する手段として構成されると、高圧ポンプ内の温度に応じた総流量を高圧ポンプに供給することができる。これにより、液化ガス燃料を気化させない最小の総流量で細かく制御することができ、高圧ポンプのポンプ損失を最小限にすることができる。例えば、内燃機関のサイクルごとに制御することができる。
【００２３】
その上、上記の内燃機関において、前記流量調節手段が、前記総流量が前記昇温抑制流量となるように前記燃料供給システムを制御し、前記総流量を常に前記燃焼用噴射弁から噴射される燃焼用流量よりも多くする手段として構成されると、確実に液化ガス燃料の温度の上昇を抑制し、液化ガス燃料の気化を防止することができる。
【００２４】
また、上記の問題を解決するための内燃機関の燃料供給方法は、内燃機関の気筒内に液化ガス燃料を噴射する燃焼用噴射弁と、該燃焼用噴射弁に高圧の液化ガス燃料を供給するコモンレールと、該コモンレールに燃料タンクに貯蔵された液化ガス燃料を供給する高圧ポンプと、該高圧ポンプに供給される液化ガス燃料の総流量を調節して供給する燃料供給システムと、前記高圧ポンプを通過した後の高圧の液化ガス燃料の一部を前記燃料タンクに環流する燃料環流システムと、を備える内燃機関の燃料供給方法において、前記総流量
が前記高圧ポンプ内の液化ガス燃料の温度の上昇を抑制する昇温抑制流量になるように、内燃機関の運転状態に基づいて、前記燃料環流システムが前記燃料タンクに環流させる液化ガス燃料の環流用流量の目標値となる目標環流用流量を算出し、前記環流用流量が算出した前記目標環流用流量になるように前記燃料環流システムを制御することを特徴とする方法である。
【００２５】
この方法によれば、内燃機関の温度の上昇に伴って高圧ポンプの温度が上昇しても、高圧ポンプ内の液化ガス燃料の温度の上昇を抑制し、高圧ポンプ内での液化ガス燃料が気化することを防止すると共に、環流用流量を目標環流用流量に調節するので、高圧ポンプの駆動損失を最小限に抑えることができる。
【００２６】
加えて、上記の内燃機関の燃料供給方法において、前記燃料環流システムに設けた環流用噴射弁が、前記高圧ポンプを通過した後の高圧の液化ガス燃料の一部を前記燃料タンク内に噴射して環流して、前記燃料タンク内を加圧すると、環流用噴射弁が環流用流量を細かく制御するので、高圧ポンプの駆動損失の増加を容易の抑制することができる。
【００２７】
さらに、上記の内燃機関の燃料供給方法において、内燃機関のエンジン回転数と前記燃焼用噴射弁から噴射される燃焼用流量に基づいて、前記目標環流用流量を算出すると、高圧ポンプの温度に関係なく、液化ガス燃料が確実に気化しない総流量を高圧ポンプに供給することができる。これにより、単位時間あたりの平均的な総流量で制御することで高圧ポンプのポンプ損失の増加を抑制することができる。
【００２８】
一方、上記の内燃機関の燃料供給方法において、前記総流量の目標値となる前記昇温抑制流量を算出し、算出した前記昇温抑制流量と前記燃焼用噴射弁から噴射される燃焼用流量に基づいて、前記目標環流用流量を算出してもよい。
【００２９】
その上、その内燃機関の燃料供給方法において、前記高圧ポンプ内の温度を取得し、前記高圧ポンプ内の温度と内燃機関のエンジン回転数に基づいて、前記昇温抑制流量を算出すると、高圧ポンプ内の温度に基づいて高圧ポンプに供給される液化ガス燃料の総流量を、最小限に制御して、高圧ポンプのポンプ損失を最小限に抑えることができる。
【発明の効果】
【００３０】
本発明によれば、高圧ポンプに供給される液化ガス燃料の総流量が昇温抑制流量となるように調節されるので、内燃機関の温度の上昇に伴って高圧ポンプの温度が上昇しても、高圧ポンプ内の液化ガス燃料の温度の上昇を抑制し、高圧ポンプ内での液化ガス燃料が気化することを防止すると共に、環流用流量を目標環流用流量となるように燃料環流システムを制御するので、液化ガス燃料の気化を防止するために増加する高圧ポンプの駆動損失を最小限に抑えることができる。
【図面の簡単な説明】
【００３１】
【図１】本発明に係る第一の実施の形態の内燃機関を示す概略図である。
【図２】本発明に係る第一の実施の形態の内燃機関の燃料供給方法で用いる目標環流用流量と目標昇温抑制流量を算出する方法を示したブロック図である。
【図３】図２に示すマップであり、内燃機関のエンジン回転数と燃焼用流量に基づく目標環流用流量を示したマップである。
【図４】本発明に係る第一の実施の形態の内燃機関の燃料供給方法の一部を示すフローチャートである。
【図５】本発明に係る第二の実施の形態の内燃機関を示す概略図である。
【図６】本発明に係る第二の実施の形態の内燃機関の燃料供給方法で用いる環流用流量と昇温抑制流量を算出する方法を示したブロック図である。
【図７】図６に示すマップであり、内燃機関のエンジン回転数と燃焼用流量に基づく環流用流量を示したマップである。
【図８】本発明に係る第二の実施の形態の内燃機関の燃料供給方法の一部を示すフローチャートである。
【図９】従来の内燃機関を示す概略図である。
【発明を実施するための形態】
【００３２】
以下、本発明に係る実施の形態の内燃機関とその燃料供給方法について、図面を参照しながら説明する。なお、この実施の形態では、液化ガス燃料として、ジメチルエーテル（以下、ＤＭＥとする）を用いた車両について説明するが、例えば、液化石油ガス（ＬＰＧ）、液化天然ガス（ＬＮＧ）、液化ブタンガス（ＬＢＧ）、及び液化水素燃料などを用いた車両にも適用することができる。
【００３３】
また、以下の実施の形態では、直列四気筒のディーゼルエンジンを例に説明するが、本発明はディーゼルエンジンに限定されず、ガソリンエンジンにも適用することができ、その気筒数や、気筒の配列は限定されない。加えて、ＤＭＥを貯蔵する燃料タンクを一本搭載した車両について説明するが、本発明は二本以上の燃料タンクを搭載したものにも適用することができる。
【００３４】
まず、本発明に係る第一の実施の形態の内燃機関について、図１を参照しながら説明する。このエンジン（内燃機関）１は、図９に示す従来のエンジン１Ｘの構成からフィードポンプＦＰを除いた構成、つまり、シリンダ（気筒）３内にＤＭＥを噴射する燃焼用インジェクタ（燃焼用噴射弁）４と、燃焼用インジェクタ４に高圧のＤＭＥを供給するコモンレール５と、コモンレール５に燃料タンク６に貯蔵されたＤＭＥを供給する高圧ポンプ７と、を備える構成に、フィードポンプやコンプレッサを経由させないで高圧ポンプ７に供給されるＤＭＥの流量を調節して供給する燃料供給システム８と、高圧ポンプ７を通過した後の高圧のＤＭＥの一部を燃料タンク６に環流する燃料環流システム１１と、を備えて構成される。
【００３５】
また、高圧ポンプ７に供給されるＤＭＥの総流量Ｑｆが、高圧ポンプ７内のＤＭＥの温度Ｔｄの上昇を抑制する昇温抑制流量Ｑｆ’になるように、エンジン１の運転状態に基づいて、燃料環流システム１１が燃料タンク６に環流させるＤＭＥの環流用流量Ｑｔの目標値となる目標環流用流量Ｑｔ’を算出する目標環流用流量算出手段Ｍ１と、環流用流量Ｑｔが目標環流用流量Ｑｔ’になるように燃料環流システム１１を制御する流量調節手段Ｍ２と、を有するＥＣＵ（制御装置）１４を備えて構成される。
【００３６】
燃料環流システム１１は、燃料タンク６に高圧ポンプ７を通過した後の高圧のＤＭＥを噴射して環流する環流用インジェクタ（環流用噴射弁）１２と、環流用インジェクタ１２に高圧ポンプ７を通過した後の高圧のＤＭＥを導く環流用流路１３と、を備える。
【００３７】
環流用インジェクタ１２は、燃焼用インジェクタ４と同様に、液体のＤＭＥを霧状に噴射する装置であり、周知の技術のインジェクタを用いることができる。この環流用インジェクタ１２には、噴射量を細かに制御できることからＥＣＵ１４により細かに噴射量を制御可能にするために電子式のインジェクタを用いるとよい。この環流用インジェクタ１２により、燃料タンク６にＤＭＥを環流させることで、ＤＭＥの環流用流量を細かに制御することが可能となる。
【００３８】
環流用流路１３は、高圧ポンプ７を通過した後の、高圧ポンプ７で加圧されて高圧となったＤＭＥを環流用インジェクタ１２に供給する流路である。この環流用流路１３は、この実施の形態のように、コモンレール５を介在させることで、高圧ポンプ７で加圧され、
コモンレール５に蓄圧されたＤＭＥを環流用インジェクタ１２に供給することができ、コモンレール５に一旦、高圧のＤＭＥを貯めることができるので、燃料タンク６内の加圧制御の調節を容易に行うことができる。
【００３９】
上記の構成によれば、高圧ポンプ７を通過した後の高圧のＤＭＥを燃料タンク６に噴射することができるので、その高圧のＤＭＥにより、燃料タンク６内を加圧することができる。よって、駆動力を必要とするフィードポンプやコンプレッサなどを用いずに、燃料タンク６から高圧ポンプ７に加圧された状態のＤＭＥを供給することができる。これにより、ＤＭＥを燃料とするエンジン１において、燃費を向上することができる。
【００４０】
例えば、コモンレール５に蓄圧されたＤＭＥの圧力は、１５ＭＰａ以上になるため、その高圧のＤＭＥを燃料タンク６に噴射して、環流すれば、常温での蒸気圧が０．５ＭＰａ程度のＤＭＥを容易に加圧し、液化させることができる。
【００４１】
また、フィードポンプを経由させる際に発生する液面位置とフィードポンプの入口の位置関係に基づくＤＭＥが供給され難くなるという問題も解決することができる。加えて、環流用インジェクタ１２を用いて燃料タンク６にＤＭＥを噴射するので、ＤＭＥの環流する流量を容易に調整することができる。
【００４２】
なお、この本発明は、上記の構成に限定せずに、例えば、コモンレールを介さずに高圧ポンプ７から環流用インジェクタ１２に直接ＤＭＥを供給するシステムや、環流用インジェクタ１２を用いずに燃料タンク６にＤＭＥを環流するシステムを用いてもよい。また、高圧ポンプ７をコモンレール５にＤＭＥを吐出する出口と環流用流路１３にＤＭＥを吐出する出口の二つの出口を有するポンプで構成してもよい。
【００４３】
加えて、本発明は、燃料供給システム８にフィードポンプやコンプレッサを用いて、燃料タンク６から高圧ポンプ７に供給されるＤＭＥを加圧する構成にも適用することができるが、前述したように、燃費が悪化するため、上記のフィードポンプやコンプレッサを経由させない構成が好ましい。
【００４４】
ＥＣＵ１４は、エンジンコントロールユニットと呼ばれる制御装置であり、電気回路によってエンジン１の制御を担当しているマイクロコントローラである。このＥＣＵ１４は、燃焼用インジェクタ４、燃料供給バルブ９、及び環流用インジェクタ１２を制御すると共に、エンジン本体２と、コモンレール５内の圧力を検知する圧力センサ１５と接続され、エンジン本体２からエンジン１の運転状態の一つであるエンジン１のエンジン回転数Ｎｅと、コモンレール５内の圧力Ｐｃを取得するように構成される。
【００４５】
目標環流用流量算出手段Ｍ１は、図２のブロック図に示すように、高圧ポンプ７内のＤＭＥの温度Ｔｄの上昇を抑制する昇温抑制流量Ｑｆ’になるように、燃料タンク６に環流させるＤＭＥの環流用流量Ｑｔの目標値となる目標環流用流量Ｑｔ’を算出する手段である。詳しくは、この目標環流用流量算出手段Ｍ１は、図３に示す、エンジン回転数Ｎｅと燃焼用流量Ｑｅに基づいた目標環流用流量Ｑｔ’を記憶した目標環流用流量マップＭ３を用いて、エンジン本体２から取得したエンジン回転数Ｎｅと、ＥＣＵ１４が制御している燃焼用インジェクタ４から噴射されるＤＭＥの燃焼用流量Ｑｅとから目標環流用流量Ｑｔ’を算出する手段である。また、この目標環流用流量算出手段Ｍ１は、燃焼用流量Ｑｅに算出された目標環流用流量Ｑｔ’を加えて昇温抑制流量Ｑｆ’を算出する手段でもある。
【００４６】
この目標環流用流量算出手段Ｍ１で算出される目標環流用流量Ｑｔ’とその目標環流用流量Ｑｔ’から算出される昇温抑制流量Ｑｆ’は、高圧ポンプ７に供給されるＤＭＥの総流量Ｑｆが、高圧ポンプ７内でＤＭＥの温度の上昇を抑制することができ、且つ高圧ポン
プ７の駆動損失を最小にする値となるように設定される。
【００４７】
なお、図３に示す目標環流用流量マップＭ３は、予め実験などにより目標環流用流量Ｑｔ’とその目標環流用流量Ｑｔ’から算出される昇温抑制流量Ｑｆ’が、高圧ポンプ７内でＤＭＥの温度の上昇を抑制することができ、且つ高圧ポンプ７の駆動損失を最小にする値となるように作成され、ＥＣＵ１４に記憶されたマップである。
【００４８】
また、この実施の形態で用いた図３に示す目標環流用流量マップＭ３は、一例であり、本発明の目標環流用流量マップＭ３はこれに限定せずに、所定の数値を記憶した多様なマップを用いることができる。例えば、燃焼用流量Ｑｅのみで、十分にＤＭＥの気化を防止することができる場合は、目標環流用流量マップＭ３から算出される目標環流用流量Ｑｔ’の最小値をゼロに設定すると、高圧ポンプの駆動損失を最小限にすることができる。
【００４９】
流量調節手段Ｍ２は、環流用流量Ｑｔが目標環流用流量算出手段Ｍ１で算出された目標環流用流量Ｑｔ’になるように、燃料環流システム１１を制御して、高圧ポンプ７に供給されるＤＭＥの総流量Ｑｆを、高圧ポンプ７内のＤＭＥの温度Ｔｄの上昇を抑制する昇温抑制流量Ｑｆ’となるように調節する手段である。
【００５０】
また、この流量調節手段Ｍ２は、環流用流量Ｑｔを目標環流用流量Ｑｔ’になるように燃料環流システム１１を制御するために、高圧ポンプ７に供給されるＤＭＥの総流量Ｑｆを調節する燃料供給システム８を制御する手段も備える。
【００５１】
ＥＣＵ１４が、上記の目標環流用流量算出手段Ｍ１と流量調節手段Ｍ２とを備えることにより、燃料タンク６に環流する環流用流量Ｑｔが、高圧ポンプ７に供給されるＤＭＥの総流量Ｑｆが昇温抑制流量Ｑｆ’となるように調節されるので、エンジン１の温度Ｔｅの上昇に伴って高圧ポンプ７の温度Ｔｐが上昇しても、高圧ポンプ７内のＤＭＥの温度Ｔｄの上昇を抑制することができる。これにより、高圧ポンプ７内でのＤＭＥが気化することを防止することができる。
【００５２】
特に、燃焼用インジェクタ４からシリンダ３内に噴射される量が少ない場合は、ＤＭＥの受熱期間が長く、且つ熱容量が低いことから、ＤＭＥの温度Ｔｄが高圧ポンプ７からの受熱で容易に上昇してしまうが、本発明では、高圧ポンプ７内の温度Ｔｐに対して、燃焼用インジェクタ４から噴射される量が少ない場合でも、燃料タンク６に環流する環流用流量Ｑｔ分、高圧ポンプ７に流れるＤＭＥの総流量Ｑｆが多くなるので、高圧ポンプ７内でのＤＭＥの温度の上昇を抑制することができる。
【００５３】
また、本発明では、目標環流用流量算出手段Ｍ１により、エンジン回転数Ｎｅと燃焼用流量ＱｅからＤＭＥの気化を防止し、且つ高圧ポンプ７の駆動損失を最小に抑えることが可能な目標環流用流量Ｑｔ’を算出する。そして、流量調節手段Ｍ２が、高圧ポンプ７に供給されるＤＭＥの総流量Ｑｆが昇温抑制流量Ｑｆ’となるように、環流用流量Ｑｔを目標環流用流量Ｑｔ’に調節することにより、高圧ポンプ７内でＤＭＥが気化しない総流量Ｑｆで、且つ高圧ポンプ７の駆動損失を最小限に抑えることができる最適な総流量Ｑｆを高圧ポンプ７に供給することができる。
【００５４】
例えば、高圧ポンプ７内の温度Ｔｐに対して、燃焼用インジェクタ４から噴射される量が多い場合は、高圧ポンプ７に流れるＤＭＥの総流量Ｑｆが燃焼用流量Ｑｅ分になるので、高圧ポンプ７の駆動損失を抑えることができる。
【００５５】
なお、この実施の形態では、エンジン回転数Ｎｅと燃焼用流量Ｑｅから目標環流用流量Ｑｔ’を算出して、その目標環流用流量Ｑｔ’に基づいて燃料供給システム８と燃料環流
システム１１を制御することで、単位時間当たりの平均的な昇温抑制流量Ｑｆ’で総流量Ｑｆを制御することができるので、高圧ポンプ７内でＤＭＥが確実に気化しない総流量Ｑｆを流すことができる。
【００５６】
次に、本発明に係る第一の実施の形態のエンジン１の燃料供給方法について、図４のフローチャートを参照しながら説明する。この方法は、エンジン１の運転状態が変化した際に、つまり、この実施の形態ではエンジン回転数Ｎｅと燃焼用流量Ｑｅが変化した際に行われる方法であり、エンジン１の運転状態に応じて、燃料タンク６に環流する環流用流量Ｑｔと高圧ポンプ７に供給される総流量Ｑｆを調節する。
【００５７】
まず、エンジン１が始動すると、ＥＣＵ１４の目標環流用流量算出手段Ｍ１が、エンジン１の運転状態を示すエンジン回転数Ｎｅと燃焼用流量Ｑｅを取得するステップＳ１０を行う。次に、目標環流用流量算出手段Ｍ１が、取得したエンジン回転数Ｎｅと燃焼用流量Ｑｅを用いて、図２に示すように、図３の目標環流用流量マップＭ３から目標環流用流量Ｑｔ’を算出するステップＳ２０を行う。次に、目標環流用流量算出手段Ｍ１が、燃焼用流量Ｑｅに目標環流用流量Ｑｔ’を加えた昇温抑制流量Ｑｆ’を算出するステップＳ３０を行う。
【００５８】
次に、流量調節手段Ｍ２が、燃料供給システム８を制御して、総流量Ｑｆを昇温抑制流量Ｑｆ’に調節するステップＳ４０を行う。次に、流量調節手段Ｍ２が、燃料環流システム１１を制御して、環流用流量Ｑｔを目標環流用流量Ｑｔ’に調節するステップＳ５０を行なって、この燃料供給方法は完了する。
【００５９】
ステップＳ５０で、燃料タンク６に環流用インジェクタ１２からＤＭＥを噴射する場合は、コモンレール５内の圧力Ｐｃが蓄圧判定値Ａ以下になっていないか否かを判断するステップを行うと、燃焼用インジェクタ４からのＤＭＥの噴射に影響がないように燃料タンク６にＤＭＥを環流することができるので、好ましい。なお、ここでいう蓄圧判定値Ａとは、予め定めた所定の圧力値であり、コモンレール５に蓄えたＤＭＥを、各燃焼用インジェクタ４へ均一に供給し、シリンダ３内へ噴射することが可能な最小の圧力値のことをいう。
【００６０】
また、その際に燃料タンク６にＤＭＥを噴射するタイミングについては、予め設定することができる。この燃料タンク６にＤＭＥを噴射するタイミングもコモンレール５の圧力Ｐｃに基づいて行うとよく、例えば、燃焼用インジェクタ４と環流用インジェクタ１２を同時に使用すると、一気にコモンレール５内の圧力Ｐｃが下がってしまうことを防ぐことができる。
【００６１】
上記の方法によれば、高圧ポンプ７を通過した後の高圧のＤＭＥを燃料タンク６に噴射することができるので、その高圧のＤＭＥにより、燃料タンク６内を加圧することができる。よって、駆動力を必要とするフィードポンプやコンプレッサなどを用いずに、燃料タンク６から高圧ポンプ７に加圧された状態のＤＭＥを供給することができる。これにより、ＤＭＥを燃料とするエンジン１において、燃費を向上することができる。
【００６２】
また、エンジン１の温度Ｔｅの上昇に伴って高圧ポンプ７の温度Ｔｐが上昇しても、高圧ポンプ７内のＤＭＥの温度Ｔｄの上昇を抑制し、高圧ポンプ７内でのＤＭＥが気化することを防止すると共に、ＤＭＥの気化を防止するために増加する高圧ポンプ７の駆動損失を最小限に抑えることができる。
【００６３】
加えて、高圧ポンプ７の温度Ｔｐに関係なく、ＤＭＥが確実に気化しない総流量Ｑｆを供給することができ、単位時間あたりの平均的な昇温抑制流量Ｑｆ’となるように制御す
ることで高圧ポンプ７のポンプ損失の増加を抑制することができる。
【００６４】
次に、本発明に係る第二の実施の形態のエンジン２０について、図５を参照しながら説明する。このエンジン２０は、第一の実施の形態のエンジン１の構成の燃料タンク６に代えて、燃料タンク２１を備え、その燃料タンク２１を主タンク２２と副タンク２３で構成し、副タンク２３を、主タンク２２から副タンク２３を経由して高圧ポンプ７にＤＭＥを供給可能に配置すると共に、副タンク２３に、環流用インジェクタ１２を設けて構成される。この主タンク２２と副タンク２３との間には、移充填流路２４と移充填バルブ２５とを設け、副タンク２３内のＤＭＥが少なくなったら主タンク２２から移充填を行うよう構成される。
【００６５】
また、燃焼用インジェクタ４、燃料供給バルブ９、環流用インジェクタ１２、及び移充填バルブ２５を制御するＥＣＵ２６は、高圧ポンプ７に供給されるＤＭＥの総流量Ｑｆの目標値となる昇温抑制流量Ｑｆ’を算出し、算出された昇温抑制流量Ｑｆ’と燃焼用インジェクタ４から噴射される燃焼用流量Ｑｅに基づいて、目標環流用流量Ｑｔ’を算出する目標環流用流量算出手段Ｍ４と、環流用流量Ｑｔが目標環流用流量Ｑｔ’になるように燃料環流システム１１を制御して、且つ総流量Ｑｆが高圧ポンプ７内のＤＭＥの温度Ｔｄの上昇を抑制する昇温抑制流量Ｑｆ’になるように燃料供給システム８を制御する流量調節手段Ｍ２と、を備えて構成される。
【００６６】
加えて、このエンジン２０は、高圧ポンプ７内の温度Ｔｐ（以下、ギャラリー温度Ｔｐという）を取得する温度取得手段として、高圧ポンプ７に温度センサ２７を備えて、目標環流用流量算出手段Ｍ４が、温度センサ２７より取得したギャラリー温度Ｔｐとエンジン回転数Ｎｅに基づいて、昇温抑制流量Ｑｆ’を算出する手段として構成される。
【００６７】
このエンジン２０は、ＤＭＥを供給する際に、主タンク２２から副タンク２３にＤＭＥを移充填し、その副タンク２３内を高圧ポンプ７を通過した後のＤＭＥを環流させて加圧することにより、駆動力を必要とするフィードポンプやコンプレッサを必要としないで加圧されたＤＭＥを高圧ポンプ７に供給できると共に、充填スタンドなどからＤＭＥを充填される主タンク２２に環流用インジェクタ１２を設ける場合と比べて、副タンク２３に環流用インジェクタ１２を設けることで、安全性が向上する。
【００６８】
また、燃料タンク２１が主タンク２２と副タンク２３に分かれることで、レイアウトに幅を持たせることが可能となり、配置の自由度を向上することができる。
【００６９】
目標環流用流量算出手段Ｍ４は、図６のブロック図に示すように、高圧ポンプ７に供給されるＤＭＥの総流量Ｑｆの目標値である昇温抑制流量Ｑｆ’を算出し、その昇温抑制流量Ｑｆ’と燃焼用流量Ｑｅを用いて、燃料タンク６に環流させるＤＭＥの環流用流量Ｑｔの目標値となる目標環流用流量Ｑｔ’を算出する手段である。
【００７０】
この目標環流用流量算出手段Ｍ４は、図７に示す、エンジン回転数Ｎｅと高圧ポンプ７内の温度Ｔｐ（以下、ギャラリー温度Ｔｐという）に基づいた昇温抑制流量Ｑｆ’を記憶した昇温抑制流量マップＭ５を用いて、エンジン本体２から取得したエンジン回転数Ｎｅと、温度センサ２７より取得したギャラリー温度Ｔｐとから昇温抑制流量Ｑｆ’を算出し、その昇温抑制流量Ｑｆ’から燃焼用流量Ｑｅ分を差し引いて目標環流用流量Ｑｔ’を算出する手段である。
【００７１】
なお、図７に示す昇温抑制流量マップＭ５は、予め実験などにより昇温抑制流量Ｑｆ’とその昇温抑制流量Ｑｆ’から算出される目標環流用流量Ｑｔ’が、高圧ポンプ７内でＤＭＥの温度の上昇を抑制することができ、且つ高圧ポンプ７の駆動損失を最小にする値と
なるように作成され、ＥＣＵ２６に記憶されたマップである。
【００７２】
また、この実施の形態で用いた昇温抑制流量マップＭ５は、一例であり、本発明の昇温抑制流量マップＭ５はこれに限定せずに、所定の数値を記憶した多様なマップを用いることができる。例えば、昇温抑制流量マップＭ５から算出される昇温抑制流量Ｑｆ’を、目標環流用流量Ｑｔ’の最小値がゼロにするような値に設定すると、高圧ポンプの駆動損失を最小限にすることができる。
【００７３】
次に、本発明に係る第二の実施の形態のエンジン２０の燃料供給方法について、図８のフローチャートを参照しながら説明する。なお、この方法も、エンジン２０の運転状態が変化した際に、つまり、この実施の形態ではエンジン回転数Ｎｅとギャラリー温度Ｔｐが変化した際に行われる方法である。
【００７４】
まず、エンジン２０が始動すると、ＥＣＵ２６の目標環流用流量算出手段Ｍ４が、エンジン２０の運転状態を示すエンジン回転数Ｎｅとギャラリー温度Ｔｐを取得するステップＳ６０を行う。ギャラリー温度Ｔｐは、エンジン本体２の状態に応じて上昇する温度であるため、エンジン２０の運転状態を示すパラメータの一つである。
【００７５】
次に、目標環流用流量算出手段Ｍ４が、取得したエンジン回転数Ｎｅとギャラリー温度Ｔｐを用いて、図６に示すように、図７の昇温抑制流量マップＭ５から昇温抑制流量Ｑｆ’を算出するステップＳ７０を行う。次に、目標環流用流量算出手段Ｍ４が、算出された昇温抑制流量Ｑｆ’から燃焼用流量Ｑｅを差し引いて、目標環流用流量Ｑｔ’を算出するステップＳ８０を行う。
【００７６】
次に、流量調節手段Ｍ２が、燃料供給システム８を制御して、総流量Ｑｆを昇温抑制流量Ｑｆ’に調節するステップＳ４０を行う。次に、流量調節手段Ｍ２が、燃料環流システム１１を制御して、環流用流量Ｑｔを目標環流用流量Ｑｔ’に調節するステップＳ５０を行なって、この燃料供給方法は完了する。
【００７７】
この方法によれば、第一の実施の形態と同様に、駆動力を必要とするフィードポンプやコンプレッサなどを用いずに、燃料タンク２１の副タンク２３から高圧ポンプ７に加圧された状態のＤＭＥを供給することができる。これにより、ＤＭＥを燃料としても、燃費を向上することができる。
【００７８】
また、エンジン２０の温度Ｔｅの上昇に伴ってギャラリー温度Ｔｐが上昇しても、高圧ポンプ７内のＤＭＥの温度Ｔｄの上昇を抑制し、高圧ポンプ７内でのＤＭＥが気化することを防止すると共に、ＤＭＥの気化を防止するために増加する高圧ポンプ７の駆動損失を最小限に抑えることができる。
【００７９】
加えて、ギャラリー温度Ｔｐに基づいて高圧ポンプ７に供給されるＤＭＥの総流量Ｑｆを、最小限に制御して、高圧ポンプ７の駆動損失を最小限に抑えることができる。
【００８０】
なお、第一の実施の形態の構成に、高圧ポンプ７内の温度Ｔｐを取得する手段を設けて、目標環流用流量算出手段Ｍ１の代わりに目標環流用流量算出手段Ｍ４を備えてもよく、第二の実施の形態の構成の目標環流用流量算出手段Ｍ４の代わりに、目標環流用流量算出手段Ｍ１を備えてもよい。
【００８１】
また、燃料タンク６又は副タンク２３内の圧力が規定以上になったときに圧力を開放するブローバルブを設けると、燃料タンク６又は副タンク２３内の圧力が規定値以上に上昇した場合に発生する、燃料タンク６又は副タンク２３の破裂や破損などを防止することが
できる。また、ブローバルブの代わりに、上記の燃料供給方法に、燃料タンク６又は副タンク２３内の圧力が規定以上の場合は、高圧なＤＭＥを環流しない工程を追加してもよい。
【００８２】
加えて、目標環流用流量マップＭ３から算出される目標環流用流量Ｑｔ’、又は昇温抑制流量マップＭ５を用いて算出される目標環流用流量Ｑｔ’については、燃焼用流量Ｑｅが十分に高圧ポンプ７内のＤＭＥの温度Ｔｄの上昇を抑制する流量であれば、その値をゼロとすると、高圧ポンプ７のポンプ損失を最小限にすることができる。一方、常に、目標環流用流量Ｑｔ’の値をゼロより大きくする、つまり昇温抑制流量Ｑｆ’を常に燃焼用流量Ｑｅよりも多くすることで、確実にＤＭＥの温度Ｔｄの上昇を抑制し、ＤＭＥの気化を防止することができる。
【産業上の利用可能性】
【００８３】
本発明の内燃機関は、高圧ポンプに供給される液化ガス燃料の総流量が昇温抑制流量となるように調節されるので、内燃機関の温度の上昇に伴って高圧ポンプの温度が上昇しても、高圧ポンプ内の液化ガス燃料の温度の上昇を抑制し、高圧ポンプ内での液化ガス燃料が気化することを防止すると共に、環流用流量を目標環流用流量となるように燃料環流システムを制御するので、液化ガス燃料の気化を防止するために増加する高圧ポンプの駆動損失を最小限に抑えることができるので、ＤＭＥなどの液化ガス燃料を用いるエンジンを搭載したトラックなどの車両に利用することができる。
【符号の説明】
【００８４】
１、２０、１Ｘ  エンジン
２  エンジン本体
３  シリンダ（気筒）
４  燃焼用インジェクタ（燃焼用噴射弁）
５  コモンレール
６、２１  燃料タンク
７  高圧ポンプ
８  燃料供給システム
９  燃料供給バルブ（燃料供給弁）
１０  供給用流路
１１  燃料環流システム
１２  環流用インジェクタ（環流用噴射弁）
１３  環流用流路
１４、２６  ＥＣＵ（制御装置）
１５  圧力センサ
２２  主タンク
２３  副タンク
２４  移充填流路
２５  移充填バルブ
２７  温度センサ（温度取得手段）
Ｍ１、Ｍ４  目標環流用流量算出手段
Ｍ２  流量調節手段
Ｍ３  目標環流用流量マップ
Ｍ５  昇温抑制流量マップ
Ｎｅ  エンジン回転数（内燃機関のエンジン回転数）
Ｑｅ  燃焼用流量
Ｔｐ  ギャラリー温度（高圧ポンプ内の温度）
Ｑｔ  環流用流量
Ｑｆ  総流量
Ｑｔ’  目標環流用流量
Ｑｆ’  昇温抑制流量
【図１】
2014169636.tif 000003
【図２】
2014169636.tif 000004
【図３】
2014169636.tif 000005
【図４】
2014169636.tif 000006
【図５】
2014169636.tif 000007
【図６】
2014169636.tif 000008
【図７】
2014169636.tif 000009
【図８】
2014169636.tif 000010
【図９】
2014169636.tif 000011